(57)【要約】      （修正有）【課題】装備品を収納したり、生け簀として利用することも可能な蓋付きの収納ボックスを備えた複合ボートを提供する。【解決手段】船底及び船底の後部に船底に連結して設けられた後部板１８を有し、船底は繊維強化プラスチックを用いて形成された船体１１と、船体１１の前部及び両側部に気密状態で取付けられ、内部に注入された空気により膨張して船体１１に浮力を与える平面視してＵ字形状の気胴部１２とを有する。船体１１の中央部に位置する船底に、上部が船底から上方に突出し、下部が船底を貫通する収納ボックス１３が設けられ、収納ボックス１３の上端の開口部には、蓋１４が取付けられている。【選択図】図１
0003166415.tif 000002
【実用新案登録請求の範囲】
【請求項１】
繊維強化プラスチックを用いて形成された船底及び該船底の後部に該船底に連結して設けられた後部板を有する船体と、該船体の前部及び両側部に気密状態で取付けられ、内部に注入された空気により膨張して前記船体に浮力を与える平面視してＵ字形状の気胴部とを有する複合ボートにおいて、
前記船体の中央部に位置する前記船底に、上部が前記船底から上方に突出し、下部が前記船底を貫通する収納ボックスが設けられ、該収納ボックスの上端の開口部には、蓋が取付けられていることを特徴とする複合ボート。
【請求項２】
請求項１記載の複合ボートにおいて、前記蓋は、前記開口部の前端又は後端を中心にして回動することを特徴とする複合ボート。
【請求項３】
請求項１又は２記載の複合ボートにおいて、前記収納ボックスの底面は、前記船底の底面と同一高さ位置にあって、前記収納ボックスの底部に、外部から該収納ボックス内に水を入れる給水口と、該収納ボックス内の水を外部に出す排水口を取付けたことを特徴とする複合ボート。
【請求項４】
請求項１〜３のいずれか１項に記載の複合ボートにおいて、前記蓋の上面には、座席が設けられていることを特徴とする複合ボート。
【考案の詳細な説明】
【技術分野】
【０００１】
本考案は、蓋付きの収納ボックスを備えた複合ボートに関する。
【背景技術】
【０００２】
繊維強化プラスチックで形成された船体と、船体の前部及び両側部に一体で取付けられ、内部に空気が注入されて膨張して船体に浮力を与えるＵ字形状の気胴部（チューブ）とを有する複合ボートは、リブボートとも呼ばれ、転覆が起こり難く安全性が高いため救助用ボートとして使用されている（例えば、特許文献１参照）。また、複合ボートは、船体に重心があり、気胴部がローリングを抑える特性を備えているため、マリンレジャー用のボートとしても使用されている。
【先行技術文献】
【特許文献】
【０００３】
【特許文献１】特開平７−３３０７３号公報
【考案の概要】
【考案が解決しようとする課題】
【０００４】
複合ボートでは、Ｕ字形状の気胴部の内側に露出している船体の上面部分が搭乗部となるため、例えば、複合ボートを釣り船として使用する場合、釣り用具等の装備品は蓋付きの収納ボックス内に入れ、装備品を収納した収納ボックスを乗船時に持ち込み、搭乗部に乗せている。このため、複合ボートが波の影響を受けて前後左右に揺れると、収納ボックスが搭乗部上で滑り出すという問題が生じる。また、乗船、下船の都度、収納ボックスを携行しなければならないという問題もある。
更に、釣った魚の鮮度を保つため、下船するまで釣った魚を生かしておこうとすると、魚を入れた魚籠が水中に浸かるように魚籠を複合ボートに掛止しておかねばならない。このため、魚を釣り上げる都度、魚籠を水中から引き揚げ、釣った魚を魚籠に移した後に再び魚籠を水中に浸けるという作業が必要になり、煩雑な付帯作業が生じるという問題がある。
【０００５】
本考案はかかる事情に鑑みてなされたもので、装備品を収納したり、生け簀として利用することも可能な蓋付きの収納ボックスを備えた複合ボートを提供することを目的とする。
【課題を解決するための手段】
【０００６】
前記目的に沿う本考案に係る複合ボートは、繊維強化プラスチックを用いて形成された船底及び該船底の後部に該船底に連結して設けられた後部板を有する船体と、該船体の前部及び両側部に気密状態で取付けられ、内部に注入された空気により膨張して前記船体に浮力を与える平面視してＵ字形状の気胴部とを有する複合ボートにおいて、
前記船体の中央部に位置する前記船底に、上部が前記船底から上方に突出し、下部が前記船底を貫通する収納ボックスが設けられ、該収納ボックスの上端の開口部には、蓋が取付けられている。
【０００７】
本考案に係る複合ボートにおいて、前記蓋は、前記開口部の前端又は後端を中心にして回動することが好ましい。
【０００８】
本考案に係る複合ボートにおいて、前記収納ボックスの底面は、前記船底の底面と同一高さ位置にあって、前記収納ボックスの底部に、外部から該収納ボックス内に水を入れる給水口と、該収納ボックス内の水を外部に出す排水口を取付けることができる。
【０００９】
本考案に係る複合ボートにおいて、前記蓋の上面には、座席が設けることが好ましい。
【考案の効果】
【００１０】
本考案に係る複合ボートにおいては、収納ボックスを、船体の中央部に位置する船底に、下部が船体を貫通するように設けているので、複合ボートの搭乗部の船首側、両舷側、船尾側にそれぞれスペースを確保することができ、搭乗部の有効活用を図りながら、容積の大きな収納ボックスを安定して設けることができる。また、収納ボックスの上部が船底から上方に突出し、収納ボックスの上端の開口部には、蓋が取付けられているので、蓋を閉じて収納ボックスを台として使用することもできる。
【００１１】
本考案に係る複合ボートにおいて、蓋が、開口部の前端又は後端を中心にして回動する場合、蓋の開け閉めが容易になって、収納ボックスの利便性が向上する。
【００１２】
本考案に係る複合ボートにおいて、収納ボックスの底面が、船底の底面と同一高さ位置にあって、収納ボックスの底部に、外部から収納ボックス内に水を入れる給水口と、収納ボックス内の水を外部に出す排水口を取付ける場合、収納ボックスの下部が船体を貫通するように設けても、複合ボートの移動に抵抗が生じず、収納ボックスを生け簀として使用することができる。
【００１３】
本考案に係る複合ボートにおいて、収納ボックスの蓋の上面に、座席が設けられている場合、リブボートに快適に乗船することができる。
【図面の簡単な説明】
【００１４】
【図１】本考案の一実施の形態に係る複合ボートの斜視図である。
【図２】同複合ボートの長手方向中央部の正断面図である。
【図３】同複合ボートの船体の船底の斜視図である。
【考案を実施するための形態】
【００１５】
続いて、添付した図面を参照しつつ、本考案を具体化した実施の形態につき説明し、本考案の理解に供する。
図１に示すように、本考案の一実施の形態に係る複合ボート１０は、繊維強化プラスチック（ＦＲＰ）を用いて形成された船底１５及び船底１５の後部に船底１５に連結して設けられた後部板（トラニサム板）の一例である船外機器取付け部１８を有する船体１１と、船体１１の前部及び両側部に気密状態で取付けられ、内部に注入された空気により膨張して船体１１に浮力を与える平面視してＵ字形状の気胴部１２とを有し、船体１１の中央部に位置する船底１５に、上部が船底１５から上方に突出し、下部が船底１５を貫通する収納ボックス１３が設けられ、収納ボックス１３の上端の開口部には、蓋１４が取付けられている。以下、詳細に説明する。
【００１６】
図２に示すように、船底１５の内側には、発泡部材１６（例えば、発泡ウレタン）が配置されている。そして、図１に示すように、船底１５の上面側でU字形状の気胴部１２の内側に露出した平坦領域が、複合ボート１０の搭乗部１７になっており、搭乗部１７の後部側に、搭乗部１７から上方に突出し両側が気胴部１２の後端側により挟まれて、複合ボート１０の推進用エンジン（図示せず）を取付ける船外機器取付け部１８が設けられている。また、船底１５の底面には、図３に示すように、キール２１、２２が設けられている。なお、符号２３は、船体１１を吊り上げる際に使用するワイヤ（図示せず）を掛止する船体用フックである。
【００１７】
気胴部１２は、合成繊維（例えば、ポリエステル、ナイロン、）で補強された気密性材料（例えば、ポリ塩化ビニル（ＰＶＣ）、合成ゴム、クロロスルホルン化ポリエチレンゴム（ＣＳＭ））製シートを１枚又は複数枚貼り合わせて製造した気密性シート部材から形成されている。そして、気胴部１２の内周側には、船体１１の前部及び両側部の角部分が接着剤を介して気密状態で固定される嵌入溝２４が形成されている。なお、気胴部１２内は、複数（本実施の形態では４つ）の領域に分割され、気胴部１２の一部に損傷が発生しても、気胴部１２内から空気が部分的にしか流出しないように構成されている。ここで、符号２５、２６、２７、２８は、気胴部１２の分割領域に空気を注入する空気注入口、符号２９、３０は、複合ボート１０を係留する際に使用する係留用ロープを掛止する係留用フック、符号３１、３２は、複合ボート１０を取扱う際に使用する取っ手、符号３３は複合ボート１０を曳航する際に使用する曳航用ロープを掛止する曳航用フックである。
【００１８】
図２、図３に示すように、収納ボックス１３は、船体１１の前後方向及び幅方向の中央部に位置する船底１５に形成した貫通孔に、接着剤を介して下部が挿入されて気密状態で固定され、上部が船底１５の搭乗部１７から上方に突出している上部開口の箱部材３４を有し、蓋１４は、蝶番を用いて箱部材３４に取付けられ、箱部材３４の開口部の後端を中心にして回動するように取付けられている。なお、収納ボックスの使用方法に応じて、蓋を箱部材の開口部の前端を中心にして回動するように設けてもよい。
【００１９】
そして、箱部材３４の底面３５は、船底１５の底面と同一高さ位置にある。箱部材３４の底部には、複合ボート１０を水面上に浮かせた際に、外部から収納ボックス１３内に水を入れる給水口３６と、収納ボックス１３内の水を外部に出す排水口３７が設けられている。ここで、給水口３６（排水口３７も同様）は、箱部材３４の底部に貫通して取付けられた短管部材３８と、短管部材３８の箱部材３４内側の端部に螺合して短管部材３８を塞ぐ栓部材４０を有している。これによって、複合ボート１０を釣り船として使用する際、収納ボックス１３を、生け簀とすることができる。
【００２０】
更に、蓋１４の上側には回転座４２が設けられ、回転座４２の上には背もたれ４３付きの座椅子（座席の一例）４４が固定されている。これによって、座椅子４４を自由に回転させることができる。なお、蓋１４の前側には、この蓋１４を閉じる掛止金具（パッチン錠）が設けられ、必要に応じて蓋１４を収納ボックス１３に固定することができるようになっている。
【００２１】
続いて、本考案の一実施の形態に係る複合ボート１０の作用について説明する。
収納ボックス１３が、複合ボート１０の船体１１の中央部に設けられているので、複合ボート１０の搭乗部１７の船首側、両舷側、船尾側にそれぞれスペースを確保することができ、パートナーの空間が広がる。また、収納ボックス１３の下部が船底１５を貫通するように設けられているので、収納ボックス１３の容積を大きくしても、収納ボックス１３を安定して設けることができる。これにより、乗船時の装備品を収納ボックス１３内に入れることで、搭乗部１７の活用面積を広くでき、搭乗部１７を効率的に利用することができる。そして、収納ボックス１３の上部が船底１５から上方に突出し、収納ボックス１３上端の開口部に取付けられた蓋１４の上面には、回転座４２を介して座椅子４４が固定されているので、座椅子４４に座って釣りを行うことができる。
【００２２】
ここで、収納ボックス１３の底部に給水口３６及び排水口３７がそれぞれ取付けられているので、給水口３６及び排水口３７の栓部材４０を取外すことにより、収納ボックス１３内に給水口３６を介して外部から水を取入れながら、排水口３７を介して収納ボックス１３内の水を外部に排出することにより、収納ボックス１３内と外部との間で水を循環させることができ、収納ボックス１３を生け簀として使用することができる。
【００２３】
以上、本考案を、実施の形態を参照して説明してきたが、本考案は何ら上記した実施の形態に記載した構成に限定されるものではなく、実用新案登録請求の範囲に記載されている事項の範囲内で考えられるその他の実施の形態や変形例も含むものである。
例えば、収納ボックスの底部に給水口及び排水口を設けず、装備品の収納のみに使用することができる。
また、収納ボックスの蓋に座席を設けず、蓋を閉じて台として使用できるようにすることもできる。
【符号の説明】
【００２４】
１０：複合ボート、１１：船体、１２：気胴部、１３：収納ボックス、１４：蓋、船底：１５、１６：発泡部材、１７：搭乗部、１８：船外機器取付け部、２１、２２：キール、２３：船体用フック、２４：嵌入溝、２５、２６、２７、２８：空気注入口、２９、３０：係留用フック、３１、３２：取っ手、３３：曳航用フック、３４：箱部材、３５：底面、３６：給水口、３７：排水口、３８：短管部材、４０：栓部材、４２：回転座、４３：背もたれ、４４：座椅子
【図１】
0003166415.tif 000003
【図２】
0003166415.tif 000004
【図３】
0003166415.tif 000005